(57)【特許請求の範囲】
【請求項１】
原稿を光学的に読み取って電子データに変換し出力する走査装置であって、
受信した電子データに基づき印刷を実行する印刷装置が上記走査装置に接続され、上記印刷装置は、上記走査装置が出力する電子データを受信可能な状態において、
上記読み取った原稿にかかる電子データを上記印刷装置へ出力する前に、テストパターンの電子データを、少なくとも色空間及び解像度のいずれかが互いに異なる複数の出力形式で上記印刷装置へ出力する出力手段と、
上記複数の出力形式で出力されたテストパターンの電子データの各々について、上記印刷装置への出力および上記印刷装置による印刷に要する時間を計測する計測手段と、
上記複数の出力形式で出力されたテストパターンの電子データの各々について、上記印刷装置が印刷した印刷結果を光学的に読み取って電子データに変換する読取手段と、
上記複数の出力形式で出力されたテストパターンの電子データの各々について、上記読取手段が変換した上記印刷結果の電子データを、当該電子データの表す画像の品質について所定の評価基準に基づいて評価する評価手段と、
上記計測手段が計測した時間、および、上記評価手段がした評価の結果に基づき、上記読み取った原稿にかかる電子データを上記印刷装置へ出力するときに用いる出力形式を選択する選択手段と、
を有し、
上記出力手段は、上記選択手段が選択した出力形式で上記読み取った原稿にかかる電子データを上記印刷装置へ出力する、
ことを特徴とする走査装置。
【請求項２】
上記出力手段は、電子データを、少なくとも、複数の圧縮形式のいずれか一形式で圧縮して出力することが可能であり、
上記出力手段は、上記テストパターンの電子データを、少なくとも色空間及び解像度のいずれかが互いに異なる複数の出力形式で上記印刷装置へ出力する代わりに、上記テストパターンの電子データを、圧縮形式が互いに異なる複数の出力形式で上記印刷装置へ出力することを特徴とする請求項１に記載の走査装置。
【請求項３】
上記評価手段は、上記読取手段が変換した上記印刷結果の電子データを、上記テストパターンの電子データと比較し、当該比較に基づいて上記印刷結果の電子データの表す画像の品質色再現性を評価する、
ことを特徴とする請求項１または２に記載の走査装置。
【請求項４】
原稿を光学的に読み取って電子データに変換し出力する走査装置と、受信した電子データに基づき印刷を実行する印刷装置とを有する画像形成システムにおいて、
上記印刷装置は、上記走査装置が出力する電子データを受信可能に接続され、
上記走査装置は、
上記読み取った原稿にかかる電子データを上記印刷装置へ出力する前に、テストパターンの電子データを、少なくとも色空間及び解像度のいずれかが互いに異なる複数の出力形式で上記印刷装置へ出力する出力手段と、
上記複数の出力形式で出力されたテストパターンの電子データの各々について、上記印刷装置への出力および上記印刷装置による印刷に要する時間を計測する計測手段と、
上記複数の出力形式で出力されたテストパターンの電子データの各々について、上記印刷装置が印刷した印刷結果を光学的に読み取って電子データに変換する読取手段と、
上記複数の出力形式で出力されたテストパターンの電子データの各々について、上記読取手段が変換した上記印刷結果の電子データを、当該電子データの表す画像の品質について所定の評価基準に基づいて評価する評価手段と、
上記計測手段が計測した時間、および、上記評価手段がした評価の結果に基づき、上記読み取った原稿にかかる電子データを上記印刷装置へ出力するときに用いる出力形式を選択する選択手段と、
を有し、
上記出力手段は、上記選択手段が選択した出力形式で上記読み取った原稿にかかる電子データを上記印刷装置へ出力する、
ことを特徴とする画像形成システム。
【請求項５】
上記走査装置の出力手段は、電子データを、少なくとも、複数の圧縮形式のいずれか一形式で圧縮して出力することが可能であり、
上記出力手段は、上記テストパターンの電子データを、少なくとも色空間及び解像度のいずれかが互いに異なる複数の出力形式で上記印刷装置へ出力する代わりに、上記テストパターンの電子データを、圧縮形式が互いに異なる複数の出力形式で上記印刷装置へ出力することを特徴とする請求項４に記載の画像形成システム。
【請求項６】
上記走査装置の評価手段は、上記読取手段が変換した上記印刷結果の電子データを、上記テストパターンの電子データと比較し、当該比較に基づいて上記印刷結果の電子データの表す画像の品質色再現性を評価する、
ことを特徴とする請求項４または５に記載の画像形成システム。
【請求項７】
原稿を光学的に読み取って電子データに変換し出力する走査装置に用いる電子データ出力方法であって、
受信した電子データに基づき印刷を実行する印刷装置が上記走査装置に接続され、上記印刷装置は、上記走査装置が出力する電子データを受信可能な状態において、
上記読み取った原稿にかかる電子データを上記印刷装置へ出力する原稿出力ステップを有し、
さらに、上記原稿出力ステップを実行する前に、
テストパターンの電子データを、少なくとも色空間及び解像度のいずれかが互いに異なる複数の出力形式で上記印刷装置へ出力するテストパターン出力ステップと、
上記複数の出力形式で出力されたテストパターンの電子データの各々について、上記印刷装置への出力および上記印刷装置による印刷に要する時間を計測する計測ステップと、
上記複数の出力形式で出力されたテストパターンの電子データの各々について、上記印刷装置が印刷した印刷結果を光学的に読み取って電子データに変換する読取ステップと、
上記複数の出力形式で出力されたテストパターンの電子データの各々について、上記読取手段が変換した上記印刷結果の電子データを、当該電子データの表す画像の品質について所定の評価基準に基づいて評価する評価ステップと、
上記計測手段が計測した時間、および、上記評価手段がした評価の結果に基づき、上記読み取った原稿にかかる電子データを上記印刷装置へ出力するときに用いる出力形式を選択する選択ステップと、
を有し、
上記原稿出力ステップは、上記読み取った原稿にかかる電子データを、上記選択ステップにおいて選択された出力形式で上記印刷装置へ出力する、
ことを特徴とするデータ出力方法。
【請求項８】
コンピュータを、原稿を光学的に読み取って電子データに変換し出力する走査装置として機能させる電子データ出力プログラムを記録したコンピュータ読み取り可能な記録媒体であって、
受信した電子データに基づき印刷を実行する印刷装置が上記走査装置に接続され、上記印刷装置は、上記走査装置が出力する電子データを受信可能な状態において、
上記走査装置の出力手段に、上記読み取った原稿にかかる電子データを上記印刷装置へ出力させる原稿出力ステップを有し、
さらに、上記原稿出力ステップを実行する前に、
上記出力手段に、テストパターンの電子データを、少なくとも色空間及び解像度のいずれかが互いに異なる複数の出力形式で上記印刷装置へ出力させるテストパターン出力ステップと、
上記走査装置の計測手段に、上記複数の出力形式で出力されたテストパターンの電子データの各々について、上記印刷装置への出力および上記印刷装置による印刷に要する時間を計測させる計測ステップと、
上記走査装置の読取手段に、上記複数の出力形式で出力されたテストパターンの電子データの各々について、上記印刷装置が印刷した印刷結果を光学的に読み取って電子データに変換させる読取ステップと、
上記走査装置の評価手段に、上記複数の出力形式で出力されたテストパターンの電子データの各々について、上記読取手段が変換した上記印刷結果の電子データを、当該電子データの表す画像の品質について所定の評価基準に基づいて評価させる評価ステップと、
上記走査装置の選択手段に、上記計測手段が計測した時間、および、上記評価手段がした評価の結果に基づき、上記読み取った原稿にかかる電子データを上記印刷装置へ出力するときに用いる出力形式を選択させる選択ステップと、
を有し、
上記原稿出力ステップにおいては、上記出力手段に、上記読み取った原稿にかかる電子データを、上記選択ステップにおいて上記選択手段が選択した出力形式で上記印刷装置へ出力させる、
ことを特徴とするプログラムを記録したコンピュータ読み取り可能な記録媒体。
【発明の詳細な説明】
【０００１】
【発明の属する技術分野】
本発明は、例えばスキャナ等の画像入力装置およびプリンタ等の画像出力装置が、ホストコンピュータを介することなく接続されてなる画像形成システムに関する。
【０００２】
【従来の技術】
昨今の情報処理技術の進歩に伴い、近年では、多くの製造業者により様々な画像形成装置が市販され、各種の画像形成装置が一般に普及するようになった。このような画像形成装置として、例えば、原稿を光学的に読み取り電子画像データに変換するスキャナや受信された画像データに基づき印刷プリントを作成するプリンタがよく知られている。これらスキャナ及びプリンタは、一般的には、ホストコンピュータ(以下、ホストＰＣという)へ個々に接続されて、若しくは、互いに接続されて使用され、前者の場合、スキャナにより読み取られたデータは、上記ホストＰＣを通じてプリンタへ送信され、他方、後者の場合には、直接にプリンタへ送信される。
【０００３】
【発明が解決しようとする課題】
ところで、スキャナ及びプリンタがホストＰＣへ個々に接続されて画像形成システムを構成する前者の場合、ホストＰＣ側に、プリンタに対応してプリンタを制御し得るプリンタドライバソフトがインストールされており、スキャナからのデータは、このプリンタドライバソフトでプリンタに適した印刷形式に変換された上で、プリンタへ送信される。これに対して、スキャナとプリンタとが直接に接続されて画像形成システムを構成する後者の場合、スキャナからのデータが、ホストＰＣを経由せずに、プリンタへ直接に送信される。しかし、スキャナとプリンタとが直接に接続される場合に、プリンタに対してデータをどのような出力形式でスキャナから出力すれば良好な印刷結果が得られるかが分からないことがあった。
【０００４】
本発明の目的は、プリンタの特性・仕様が未知である場合に、プリンタに適した出力形式で画像データを送信することができる画像形成装置及び該画像形成装置を用いた画像形成システムを提供することである。
【０００５】
【課題を解決するための手段】
本願の請求項１に係る発明は、原稿を光学的に読み取って電子データに変換し出力する走査装置である。当該走査装置は、受信した電子データに基づき印刷を実行する印刷装置が走査装置に接続され、印刷装置は、走査装置が出力する電子データを受信可能な状態において、読み取った原稿にかかる電子データを印刷装置へ出力する前に、テストパターンの電子データを、少なくとも色空間及び解像度のいずれかが互いに異なる複数の出力形式で印刷装置へ出力する出力手段と、複数の出力形式で出力されたテストパターンの電子データの各々について、印刷装置への出力および印刷装置による印刷に要する時間を計測する計測手段と、複数の出力形式で出力されたテストパターンの電子データの各々について、印刷装置が印刷した印刷結果を光学的に読み取って電子データに変換する読取手段と、複数の出力形式で出力されたテストパターンの電子データの各々について、読取手段が変換した印刷結果の電子データを、当該電子データの表す画像の品質について所定の評価基準に基づいて評価する評価手段と、計測手段が計測した時間、および、評価手段がした評価の結果に基づき、読み取った原稿にかかる電子データを印刷装置へ出力するときに用いる出力形式を選択する選択手段と、を有し、出力手段は、選択手段が選択した出力形式で読み取った原稿にかかる電子データを印刷装置へ出力する、ことを特徴としたものである。
【０００６】
また、本願の請求項２に係る発明は、請求項１に係る発明において、出力手段は、電子データを、少なくとも、複数の圧縮形式のいずれか一形式で圧縮して出力することが可能であり、出力手段は、テストパターンの電子データを、少なくとも色空間及び解像度のいずれかが互いに異なる複数の出力形式で印刷装置へ出力する代わりに、テストパターンの電子データを、圧縮形式が互いに異なる複数の出力形式で印刷装置へ出力することを特徴としたものである。
【０００７】
更に、本願の請求項３に係る発明は、請求項１又は２に係る発明において、評価手段は、読取手段が変換した印刷結果の電子データを、テストパターンの電子データと比較し、当該比較に基づいて印刷結果の電子データの表す画像の品質色再現性を評価する、ことを特徴としたものである。
【０００８】
また、更に、本願の請求項４に係る発明は、原稿を光学的に読み取って電子データに変換し出力する走査装置と、受信した電子データに基づき印刷を実行する印刷装置とを有する画像形成システムである。当該画像形成システムにおいては、印刷装置は、走査装置が出力する電子データを受信可能に接続され、走査装置は、読み取った原稿にかかる電子データを印刷装置へ出力する前に、テストパターンの電子データを、少なくとも色空間及び解像度のいずれかが互いに異なる複数の出力形式で印刷装置へ出力する出力手段と、複数の出力形式で出力されたテストパターンの電子データの各々について、印刷装置への出力および印刷装置による印刷に要する時間を計測する計測手段と、複数の出力形式で出力されたテストパターンの電子データの各々について、印刷装置が印刷した印刷結果を光学的に読み取って電子データに変換する読取手段と、複数の出力形式で出力されたテストパターンの電子データの各々について、読取手段が変換した印刷結果の電子データを、当該電子データの表す画像の品質について所定の評価基準に基づいて評価する評価手段と、計測手段が計測した時間、および、評価手段がした評価の結果に基づき、読み取った原稿にかかる電子データを印刷装置へ出力するときに用いる出力形式を選択する選択手段と、を有し、出力手段は、選択手段が選択した出力形式で読み取った原稿にかかる電子データを印刷装置へ出力すること、を特徴としたものである。
【０００９】
また、更に、本願の請求項５に係る発明は、請求項４に係る発明において、走査装置の出力手段は、電子データを、少なくとも、複数の圧縮形式のいずれか一形式で圧縮して出力することが可能であり、出力手段は、テストパターンの電子データを、少なくとも色空間及び解像度のいずれかが互いに異なる複数の出力形式で印刷装置へ出力する代わりに、テストパターンの電子データを、圧縮形式が互いに異なる複数の出力形式で印刷装置へ出力することを特徴としたものである。
【００１０】
また、更に、本願の請求項６に係る発明は、請求項４又は５に係る発明において、走査装置の評価手段は、読取手段が変換した印刷結果の電子データを、テストパターンの電子データと比較し、当該比較に基づいて印刷結果の電子データの表す画像の品質色再現性を評価すること、を特徴としたものである。
【００１１】
また、更に、本願の請求項７に係る発明は、原稿を光学的に読み取って電子データに変換し出力する走査装置に用いる電子データ出力方法である。当該方法は、受信した電子データに基づき印刷を実行する印刷装置が走査装置に接続され、印刷装置は、走査装置が出力する電子データを受信可能な状態において、読み取った原稿にかかる電子データを印刷装置へ出力する原稿出力ステップを有し、さらに、原稿出力ステップを実行する前に、テストパターンの電子データを、少なくとも色空間及び解像度のいずれかが互いに異なる複数の出力形式で印刷装置へ出力するテストパターン出力ステップと、複数の出力形式で出力されたテストパターンの電子データの各々について、印刷装置への出力および印刷装置による印刷に要する時間を計測する計測ステップと、複数の出力形式で出力されたテストパターンの電子データの各々について、印刷装置が印刷した印刷結果を光学的に読み取って電子データに変換する読取ステップと、複数の出力形式で出力されたテストパターンの電子データの各々について、読取手段が変換した印刷結果の電子データを、当該電子データの表す画像の品質について所定の評価基準に基づいて評価する評価ステップと、計測手段が計測した時間、および、評価手段がした評価の結果に基づき、読み取った原稿にかかる電子データを印刷装置へ出力するときに用いる出力形式を選択する選択ステップと、を有し、原稿出力ステップは、読み取った原稿にかかる電子データを、選択ステップにおいて選択された出力形式で印刷装置へ出力すること、を特徴としたものである。
【００１２】
また、更に、本願の請求項８に係る発明は、コンピュータを、原稿を光学的に読み取って電子データに変換し出力する走査装置として機能させる電子データ出力プログラムを記録したコンピュータ読み取り可能な記録媒体である。当該記録媒体に記録されたコンピュータ読み取り可能なプログラムは、受信した電子データに基づき印刷を実行する印刷装置が走査装置に接続され、印刷装置は、走査装置が出力する電子データを受信可能な状態において、走査装置の出力手段に、読み取った原稿にかかる電子データを印刷装置へ出力させる原稿出力ステップを有し、さらに、原稿出力ステップを実行する前に、出力手段に、テストパターンの電子データを、少なくとも色空間及び解像度のいずれかが互いに異なる複数の出力形式で印刷装置へ出力させるテストパターン出力ステップと、走査装置の計測手段に、複数の出力形式で出力されたテストパターンの電子データの各々について、印刷装置への出力および印刷装置による印刷に要する時間を計測させる計測ステップと、走査装置の読取手段に、複数の出力形式で出力されたテストパターンの電子データの各々について、印刷装置が印刷した印刷結果を光学的に読み取って電子データに変換させる読取ステップと、走査装置の評価手段に、複数の出力形式で出力されたテストパターンの電子データの各々について、読取手段が変換した印刷結果の電子データを、当該電子データの表す画像の品質について所定の評価基準に基づいて評価させる評価ステップと、走査装置の選択手段に、計測手段が計測した時間、および、評価手段がした評価の結果に基づき、読み取った原稿にかかる電子データを印刷装置へ出力するときに用いる出力形式を選択させる選択ステップと、を有し、原稿出力ステップにおいては、出力手段に、読み取った原稿にかかる電子データを、選択ステップにおいて選択手段が選択した出力形式で印刷装置へ出力させること、を特徴としたものである。
【００１３】
【発明の実施の形態】
以下、本発明の実施の形態について、添付図面を参照しながら説明する。
図１は、本発明の実施の形態に係る画像形成システム１００の構成を示すブロック図である。この画像形成システム１００は、原稿を光学的に読み取り電子データに変換するスキャナ１０と受信されたデータに基づき印刷プリントを作成するプリンタ２０とが、インターフェースケーブル３０を介して直接に接続されてなるものである。この画像形成システム１００では、スキャナ１０により読み取られたデータが、直接にプリンタ２０へ送信される。
スキャナ１０は、基本的な構成として、光学的な画像をアナログ信号に変換するＣＣＤ１１と、アナログ信号をデジタル信号に変換するＡ／Ｄ変換器１２と、色空間変換や二値化処理等の画像処理を実行し得る走査画像処理ユニット１３と、スキャナ１０の実際の制御に必要とされる各種のモータ，センサ等に対する入出力を行う入出力部(Ｉ／Ｏ)１４とを有している。また、スキャナ１０は、スキャナ全体のシーケンス制御を行うＣＰＵ１５と、スキャナ１０の制御に必要なプログラム等が格納されるＲＯＭ１６と、上記プログラムの実行に必要とされるワークエリアや画像データのバッファエリアとして使用されるＲＡＭ１７と、プリンタ１０とのインターフェース回路であり、画像データの送信，機器間の状態についての送受信や機器の識別コードの送受信を行うインターフェース(Ｉ／Ｆ)１８とを有している。
【００１４】
また、一方、プリンタ２０は、その基本的な構成として、スキャナ１０とのインターフェース回路であり、画像データの受信，機器間の状態についての送受信や機器の識別コードの送受信を行うインターフェース(Ｉ／Ｆ)２１と、プリンタ全体のシーケンス制御を行うＣＰＵ２２と、プリンタ２０の制御に必要とされるプログラムを格納するＲＯＭ２３と、該プログラムの実行に必要とされるワークエリアや画像データのバッファエリアとして使用されるＲＡＭ２４とを有している。更に、このプリンタ２０は、その実際の制御に必要とされる各種のモータ，センサ等に対する入出力を行う入出力部(Ｉ／Ｏ)２５と、色空間変換や二値化処理等の画像処理を実行し得るプリント画像処理ユニット２６と、データに基づき印刷用のドラム(不図示)にビームを照射するレーザ２８と、該レーザ２８用の駆動回路であるレーザドライバ２７とを有している。
【００１５】
この画像形成システム１００では、印刷要求があると、印刷対象となる画像データの印刷を行う前に、予め用意された所定の色空間及び解像力を備えたテストパターンが複数の出力形式で出力・印刷され、それら出力形式の異なる出力パターンが印刷時間(ここでは、出力及び印刷に要する時間をいう)及び品質について評価されることにより、良好な印刷結果を得るための出力形式が選択される。これを実現するために、本実施の形態では、まず、上記スキャナ１０側の走査画像処理ユニット１３により、所定のテストパターンが互いに異なる複数の出力形式で処理される。上記テストパターンは、スキャナ１０の制御に必要なプログラムとともに、ＲＯＭ１６に格納されている。
【００１６】
図２に、上記スキャナ１０側の走査画像処理ユニット１３の構成を詳細に示す。この走査画像処理ユニット１３では、画像データ入力バス３１から入力された画像データ(この実施の形態では、ＲＧＢ２４ビットデータ)が、まず、上記解像度変換部３２によって所定の解像度に変換される。このとき、解像度は、上記解像度変換部３２に接続されるレジスタ３８にモード設定バス４０を介して書き込まれた値に対応して設定される。この実施の形態では、例えば６００ｄｐｉの画像データが、３００ｄｐｉ，１５０ｄｐｉのデータに変換される。
上記解像度変換部３２から出力された画像データは、二方に分けられ、一方のデータは上記色空間変換部３３へ、また、他方のデータは直接にセレクタ３４へ入力される。上記色空間変換部３３では、ＲＧＢデータがＹＭＣＫデータに変換される。色空間変換後のデータは、セレクタ３４へ入力される。
【００１７】
上記セレクタ３４では、入力データがそのビット構成について選別され、後段の回路に伝送する画像データとして、ＲＧＢ色空間データ又はＹＭＣＫ色空間データが選択される。この選択処理は、上記セレクタ３４に接続されるレジスタ３８にモード設定バス４０を介して書き込まれた情報に基づき行われる。
上記セレクタ３４から出力された画像データは、再度、二方に分けられ、一方のデータは上記二値化処理部３５へ、また、他方のデータは直接にセレクタ３６へ入力される。上記二値化処理部３５では、各色８ビットのデータが、白又は黒の１ビットのデータに変換される。二値化処理後のデータは、セレクタ３６へ入力される。
【００１８】
上記セレクタ３６では、後段の回路に伝送する画像データとして、各色８ビットのデータ若しくは二値化処理後のデータを選択する。この選択処理は、上記セレクタ３４における場合と同様に上記セレクタ３６に接続されるレジスタ３８にモード設定バス４０を介して書き込まれた情報に基づき行われる。その後、画像データは画像形式付与部３７へ入力され、画像サイズ，色空間及びビット構成をプリンタ２０へ伝達するためのデータが、画像データに対して付与される。このとき、付与されるデータは、上記画像形式付与部３７に接続されるレジスタ３８にモード設定バス４０を介して書き込まれた値に対応して設定される。
なお、図２から分かるように、上記画像データ入力バス３１，画像データ出力バス３９およびモード設定バス４０は、それぞれ分離されている。しかし、これに限定されることなく、回路の構成によっては、各バスが多重化されてもよい。図１では、図面の明瞭化を図り、各バスが多重化された態様が示される。
【００１９】
このように、上記走査画像処理ユニット１３では、入力されてきた画像データを、解像度，色空間及びビットの構成について異なる出力形式で処理することが可能である。これにより、前述したように、予め用意されたテストパターンが互いに異なる出力形式で処理される。
【００２０】
図３および図４に、それぞれ、色再現性および解像度についてのテストパターンと該テストパターンの処理の態様とを示す。図３の(ａ)に示すテストパターン５０は、色再現性を評価するために用いられるＲＧＢ各色８ビットのパターンであり、それぞれ図に示すような色成分を有する７×１６個のカラーパッチにより構成される。図３の(ｂ)から分かるように、テストパターン５０は、上記走査画像処理ユニット１３において、３通りの出力形式で処理される。
すなわち、テストパターン５０がそのまま出力される場合、各画素がＲＧＢ各色８ビットのデータで構成された出力パターン５０Ａが取得される。また、テストパターン５０が上記色空間変換部３３によりＲＧＢデータからＹＭＣＫデータに変換された場合、各画素がＹＭＣＫ各色８ビットのデータで構成された出力パターン５０Ｂが取得される。更に、テストパターン５０が、上記色空間変換部３３によりＲＧＢデータからＹＭＣＫデータに変換された後、上記二値化処理部３５により二値化された場合には、各画素がＹＭＣＫ各色１ビットで構成された出力パターン５０Ｃが取得される。
【００２１】
また、一方、図４の(ａ)に示すテストパターン６０は、解像力を評価するために用いられるパターンであり、解像度６００ｄｐｉを有する。図４では、パターン解像度を斜め線Ｄを付してあらわす。図４の(ｂ)から分かるように、テストパターン６０は、上記走査画像処理ユニット１３において、３通りの出力形式で処理される。すなわち、テストパターン６０がそのまま出力される場合、解像度６００ｄｐｉの出力パターン６０Ａが取得される。また、テストパターン６０が上記解像度変換部３２により解像度３００ｄｐｉに変換された場合、解像度３００ｄｐｉの出力パターン６０Ｂが取得される。更に、テストパターン６０が上記解像度変換部３２により解像度１５０ｄｐｉに変換された場合、解像度１５０ｄｐｉの出力パターン６０Ｃが取得される。
【００２２】
次に、図５および図６を参照して、上記スキャナ１０の操作について説明する。図５に示すように、スキャナ１０の操作パネル７０には、スキャナ本体の動作モードを表示する表示部７２と、動作モードを変更するモード変更キー７３と、原稿の読取りを開始させるスキャン開始キー７４と、各種条件を設定する設定キー７５とが設けられている。このスキャナ１０では、動作モードとして、原稿の読取りが行われるスキャンモードと、例えば原稿の読取り範囲や出力先とするプリンタの設定などの各種条件の設定が行われる設定モードと、上記テストパターンの各種形式による出力が自動的に行われるテストモードとが用意されており、スキャナの使用に際して、これら動作モードのいずれか１つが選択される。動作モードの設定変更は、上記モード変更キー７３を用いて行われ、この変更に応じて、上記表示部７２における表示は、図６に示すように順に切り替わる。
【００２３】
図７に、スキャンモード設定時の処理についてのフローチャートを示す。この処理では、まず、Ｓ１０１において、上記スキャナ１０の操作パネル７０上で、スキャン開始キー７４が押されるのを待つ。スキャン開始キー７４が押されると、Ｓ１０２へ進み、出力先とするプリンタを認識し、そのプリンタに関する情報を取得する。続いて、Ｓ１０３では、Ｓ１０２において取得した情報に基づき、認識したプリンタが既知のプリンタであるか否かを判断する。この結果、ＹＥＳであれば、Ｓ１０４へ進み、他方、ＮＯであれば、Ｓ１０７へ進む。
【００２４】
Ｓ１０４では、予め保存されている既知のプリンタに適した出力条件を設定する。続いて、Ｓ１０５では、原稿の読取り・読取り画像の出力を開始する。更に、Ｓ１０６では、プリンタ２０側で印刷が終了したか否かを確認し、ＹＥＳであれば、Ｓ１０１へリターンする。他方、ＮＯであれば、印刷終了の確認を再度行う。
また、Ｓ１０７では、例えば「テストモードを実行しますか？ＹＥＳであればモード変更キーを、ＮＯであればスキャン開始キーを押して下さい」等の、上記テストモードを実行するか否かをオペレータに選択させる旨の表示を上記操作パネル７０の表示部７２で行う。テストモード設定時の処理については、図８を参照して後述する。続いて、Ｓ１０８では、モード変更キー７５が押されたか否かを判断し、ＹＥＳであれば、Ｓ１０９へ進み、テストモードに移行する。テストモードの終了後、Ｓ１０５へ進み、前述したように処理を続行する。他方、Ｓ１０９において、ＮＯであれば、Ｓ１１０へ進み、スキャン開始キー７４が押されるのを待つ。スキャン開始キー７４が押されると、Ｓ１１１へ進み、出力先とするプリンタが未知の特性・仕様を有するものの、オペレータがテストモードへの移行を拒否したため、出力条件として、予め用意されている標準条件を設定する。その後、Ｓ１０５へ進み、前述したように処理を続行する。
【００２５】
図８に、上記テストモード(図７のＳ１０９)設定時の処理についてのフローチャートを示す。このテストモード設定時の処理では、まず、Ｓ２０１において、例えば「スキャン開始キーを押して下さい」等の、スキャン開始キー７４を押すことをオペレータに指示する旨の表示を上記操作パネル７０の表示部７２で行う。次に、Ｓ２０２では、スキャン開始キー７４が押されるのを待つ。スキャン開始キー７４が押されると、Ｓ２０３へ進み、出力パターン５０Ａ(図３参照)の出力処理を行う。Ｓ２０３〜Ｓ２０８では、図３及び図４を参照して前述したように、それぞれ、出力パターン５０Ａ，５０Ｂ，５０Ｃ，６０Ａ，６０Ｂ，６０Ｃの出力処理を行う。各出力パターンの出力処理については、図９を参照して後述する。
【００２６】
続いて、Ｓ２０９では、「出力サンプルをＡＤＦにセットし、スキャン開始キーを押して下さい」等の、上記出力パターン５０Ａ，５０Ｂ，５０Ｃ，６０Ａ，６０Ｂ，６０Ｃに基づく出力サンプルをスキャナ１０の原稿読取り位置(例えばＡＤＦ，原稿台など)にセットした上で、スキャン開始キー７４を押すことをオペレータに指示する旨の表示を上記操作パネル７０の表示部７２で行い、Ｓ２１０へ進む。Ｓ２１０では、スキャン開始キー７４が押されるのを待つ。スキャン開始キー７４が押されると、Ｓ２１１へ進み、上記出力サンプルの読取りを開始する。
【００２７】
Ｓ２１２では、上記出力サンプルの読取りが終了したか否かを判断し、ＹＥＳであれば、Ｓ２１３へ進み、他方、ＮＯであれば、再度、その判断を行う。Ｓ２１３では、上記出力サンプルの画像品質を評価し、その評価の結果に基づき、最良の出力条件を選択する。画像品質評価の処理については、図１０を参照して後述する。Ｓ２１４では、Ｓ２１３で選択した出力条件を「最適条件」に設定し、図７のＳ１０２で認識された出力先のプリンタに関する識別子(プリンタＩＤ)とともに上記ＲＡＭ１７(図１参照)に保存する。以上で、テストモード設定時の処理を終了し、図７に示すスキャンモード設定時の処理にリターンする。
【００２８】
図９に、上記各出力パターンの出力処理(図８のＳ２０３〜Ｓ２０８)についてのフローチャートを示す。なお、このフローチャートは、上記出力パターン５０Ａ，５０Ｂ，５０Ｃ，６０Ａ，６０Ｂ，６０Ｃの全てに該当するものである。この出力パターンの出力処理では、まず、Ｓ３０１において、出力開始から印刷終了までの時間を計測するタイマーをスタートさせる。Ｓ３０２では、出力パターンの出力を開始する。続いて、Ｓ３０３では、プリンタ２０から受信する情報に基づき、印刷が終了したか否かを判断し、ＹＥＳであれば、Ｓ３０４へ進み、他方、ＮＯであれば、再度、その判断を行う。Ｓ３０４では、印刷終了時点でのタイマーの値を保存する。この実施の形態では、かかるタイマー値が、上記出力パターン５０Ａ，５０Ｂ，５０Ｃ，６０Ａ，６０Ｂ，６０Ｃに対応して、それぞれ、印刷時間Ｔ５０１，Ｔ５０２，Ｔ５０３，Ｔ６０１，Ｔ６０２，Ｔ６０３として保存される。その後、Ｓ３０５では、上記タイマーをリセットし、次の出力パターンについての計測に備える。以上で、１つの出力パターンの出力処理を終了し、次の出力パターンの出力処理に進むか、若しくは、出力パターンの出力処理(Ｓ２０３〜Ｓ２０８)以降の処理へリターンする。
【００２９】
また、図１０に、画像品質評価(図８のＳ２１３)の処理についてのフローチャートを示す。この画像品質評価の処理では、まず、Ｓ４０１〜Ｓ４０３において、出力パターン５０Ａ，５０Ｂ，５０Ｃに基づく出力サンプルの色再現性についての評価を行う。この場合には、オリジナルのテストパターン５０(図３の(ａ)参照)の各カラーパッチから得られたデータと、出力パターン５０Ａ，５０Ｂ，５０Ｃの各カラーパッチに基づく出力サンプルから得られた読取りデータとの間の色差を求め、それぞれ、Ｃ５０１，Ｃ５０２，Ｃ５０３とする。
続いて、Ｓ４０４〜Ｓ４０６では、出力パターン６０Ａ，６０Ｂ，６０Ｃに基づく出力サンプルの解像力についての評価を行う。この評価に際して、図１１の(ａ)に示すように、出力パターン６０Ａ，６０Ｂ，６０Ｃの斜め線Ｄの一部を含む領域Ｒを読み取り、そこに含まれる図形の輪郭線とその輪郭線を近似した直線との各線分の距離の二乗和を算出して得られる直線再現時のジャギー量を用いる。図１１の(ｂ)及び(ｃ)に、それぞれ、領域Ｒにおいてジャギー量の多い態様および少ない態様を示す。これら図１１の(ｂ)及び(ｃ)では、直線部の輪郭をなす画素Ｑが直線Ｓで近似されている。ここでは、出力パターン６０Ａ，６０Ｂ，６０Ｃに対応する各出力サンプルの読み取りデータのジャギー量を、それぞれ、Ｊ６０１，Ｊ６０２，Ｊ６０３とする。
【００３０】
Ｓ４０４〜Ｓ４０６でオリジナルのテストパターン６０に対する出力パターン６０Ａ，６０Ｂ，６０Ｃに基づく出力サンプルの読み取りデータのジャギー量を算出した後、Ｓ４０７及びＳ４０８では、それぞれ、色再現処理後の出力パターン５０Ａ，５０Ｂ，５０Ｃおよび解像度変換処理後の出力パターン６０Ａ，６０Ｂ，６０Ｃを、印刷時間と色再現性・解像力とに基づき評価した上で、最適な色再現処理および解像度変換処理を選択する。一般に、印刷時間は、画像データの転送時間とプリンタ内部での処理時間に依存する。また、画像データの転送時間は、画像データ量に依存し、上記色再現処理後および解像度変換処理後の各出力パターンについては、それぞれ、ＹＭＣＫ各色８ビット＞ＲＧＢ各色８ビット＞ＹＭＣＫ各色１ビット，６００ｄｐｉ＞３００ｄｐｉ＞１５０ｄｐｉの関係にある。他方、プリンタ内部での処理時間は、どのような色空間・解像度を備えた出力パターンの印刷処理が高速に実行可能であるかに依存する。
【００３１】
Ｓ４０７では、色再現処理後の各出力パターン５０Ａ，５０Ｂ，５０Ｃを、印刷時間と色再現性とに基づき評価するに際して、次式を用いる。
Ｘ１＝Ｔ５０１＊α＋Ｃ５０１＊β
Ｘ２＝Ｔ５０２＊α＋Ｃ５０２＊β
Ｘ３＝Ｔ５０３＊α＋Ｃ５０３＊β
ここで、α，βは、印刷時間及び色再現性を同一レベルで評価するために経験的に導き出された重み付け係数である。例えば、重み付け係数α，βが、α＝１／１００，β＝１／８、また、予め計測された印刷時間が、Ｔ５０１＝９０(ｓｅｃ)，Ｔ５０２＝１２０，Ｔ５０３＝１５、更に、Ｓ４０１〜Ｓ４０３において算出された色差が、Ｃ５０１＝１０，Ｃ５０２＝８，Ｃ５０３＝１６である場合、Ｘ１，Ｘ２，Ｘ３は、それぞれ、
Ｘ１＝９０／１００＋１０／８＝２．１５
Ｘ２＝１２０／１００＋８／８＝２．２
Ｘ３＝３０／１００＋１６／８＝２．３
となる。従って、Ｘ１が最小となり、ＲＧＢ各色８ビットでの転送が最適であるとの評価結果が得られる。この場合には、印字時間について出力パターン５０Ｃが優れ、色再現性については出力パターン５０Ｂが優れているものの、総合的な評価では、出力パターン５０Ａの出力形式が最も優れているとの結果となる。
【００３２】
また、一方、Ｓ４０８では、解像度変換後の各出力パターン６０Ａ，６０Ｂ，６０Ｃを、印刷時間と解像力とに基づき評価するに際して、次式を用いる。
Ｙ１＝Ｔ６０１＊α＋Ｊ６０１＊γ
Ｙ２＝Ｔ６０２＊α＋Ｊ６０２＊γ
Ｙ３＝Ｔ６０３＊α＋Ｊ６０３＊γ
ここで、α，γは、印刷時間及び解像力を同一レベルで評価するために経験的に導き出された重み付け係数である。例えば、重み付け係数α，γが、α＝１／１００，γ＝１、また、予め計測された印刷時間が、Ｔ６０１＝８０(ｓｅｃ)，Ｔ６０２＝２０，Ｔ６０３＝１０、更に、Ｓ４０４〜Ｓ４０６において算出されたジャギー量が、Ｊ６０１＝１．１，Ｊ６０２＝１．１，Ｊ６０３＝２．５である場合、Ｙ１，Ｙ２，Ｙ３は、それぞれ、
Ｙ１＝８０／１００＋１．１＝１．９
Ｙ２＝２０／１００＋１．１＝１．３
Ｙ３＝１０／１００＋２．５＝２．６
となる。従って、Ｙ２が最小となり、３００ｄｐｉでの転送が最適であるとの評価結果が得られる。この場合には、印字時間について出力パターン６０Ｃが優れ、解像力については出力パターン６０Ａ及び６０Ｂが優れており、総合的な評価では、出力パターン６０Ｂの出力形式が最も優れているとの結果となる。
かかるＳ４０７及びＳ４０８における評価結果に基づき最適な色再現処理および解像度変換処理を選択した後、図８に示すテストモード設定時の処理にリターンする。
【００３３】
図７〜図１０に示す処理は、上記スキャナ１０に組み込まれたオペレーティングプログラムに基づいて実行されるものであり、この実施の形態では、上記プログラムが、スキャナ１０内のＲＯＭ１６に格納されている。なお、これに限定されることなく、このようなプログラムは、例えばメモリカード，フロッピーディスク，ＣＤ−ＲＯＭ等の外部記録媒体にファイル形式で格納されてもよい。
【００３４】
続いて、図１２に、上記プリンタ２０側でのプリント画像処理ユニット２６の構成を示す。このプリント画像処理ユニット２６は、入力された画像データの解像度を３００ｄｐｉに変換する解像度変換部８１と、画像データを二値化する二値化処理部８２と、後段の回路に伝送する画像データをそのビット構成について選択するセレクタ８３と、上記解像度変換部８１およびセレクタ８３に接続され、各部による処理に際して参照される各種の情報を格納するレジスタ８４とを有している。かかるプリント画像処理ユニット２６を備えたプリンタでは、画像データが３００ｄｐｉに変換されるため、スキャナ側から６００ｄｐｉの画像データを送信した場合、倍の転送時間を要するものの、その画像品質に関しては３００ｄｐｉの画像データを送信した場合と差がない。かかる場合には、図１０のＳ４０７，４０８における各出力パターンの評価結果に基づき、スキャナ１０側で、画像データの解像度を３００ｄｐｉに変換することが、最適条件として設定される。
【００３５】
また、図１３には、上記プリンタ２０側でのプリント画像処理ユニット２６の変形例の構成を示す。このプリント画像処理ユニット９０は、スキャナ１０側に組み込まれた色空間変換部３３(図２参照)と比較してより高精度に画像データの色空間を変換する高精度色空間変換部９１と、後段の回路に伝送する画像データをその色空間の種類について選択するセレクタ９２と、スキャナ１０側に組み込まれた二値化処理部３５(図２参照)と比較してより高精細に画像データを二値化する高精細二値化処理部９３と、後段の回路に伝送する画像データをそのビット構成について選択するセレクタ９４と、上記高精度色空間変換部９１，セレクタ９２，９４に接続され、各部による処理に際して参照される各種の情報を格納するレジスタ９５とを有している。この場合には、プリンタ２０側で色空間変換および二値化処理を行う方が、色再現性に優れており、図１０のＳ４０７，４０８における各出力パターンの評価結果に基づき、スキャナ１０側から、ＲＧＢ各色８ビットの画像データをプリンタ２０側へ送信することが、最適条件として設定される。
【００３６】
図１４を参照して、設定モード(図６参照)について説明する。前述したように、出力先となるプリンタの種類によっては、印刷時間・色再現性・解像力の全ての条件が最適となる場合があるとは限らない。このため、本実施の形態では、設定モードの設定時には、オペレータが、速度を優先するか若しくは画像品質を優先するのかを設定することができる。この設定に際して、スキャナ１０の操作パネル７０における表示部７２には、図１４に示すような画面が表示され、オペレータは、設定キー７５の操作により、速度及び画像品質の優先度を調整することができる。図１４では、速度が優先された状態が示されている。なお、プリンタ２０に、図１２に示すプリント画像処理ユニット２６が組み込まれる場合には、上記表示部７２に表示された画面上で画像品質の優先を設定しても、図１０のＳ４０７，４０８における各出力パターンの評価結果が反映されるため、解像度の上限は３００ｄｐｉとなる。
【００３７】
以上のように、上記画像形成システム１００では、予め用意されたテストパターンを各種の出力形式で出力し、得られた出力パターンに基づく出力サンプルの読み取りデータを評価して、その評価結果に基づき最適な出力形式を設定することにより、未知の特性・仕様を有するプリンタに対しても、スキャナから、良好な印刷結果を実現し得る出力形式で、印刷対象とするデータを送信することができる。
【００３８】
なお、本発明は、例示された実施の形態に限定されるものでなく、本発明の要旨を逸脱しない範囲において、種々の改良及び設計上の変更が可能であることは言うまでもない。例えば、前述した実施の形態では、画像データ処理として、色再現処理と解像度変換処理とが用いられているが、これに限定されることなく、プリンタ側で画像データの伸張処理が高速で可能であれば、スキャナ側で画像データを圧縮した上で送信することにより、データの転送時間を短縮することができる。更に、複数の圧縮形式でテストパターンを印刷し、その出力パターンに基づく出力サンプルの読み取りデータを印刷時間，色再現性，解像力について評価することにより、プリンタに適した圧縮形式を選択することも可能である。
【００３９】
【発明の効果】
以上の説明から明らかなように、本願の請求項１に係る発明によれば、走査装置において、印刷対象とするデータを印刷装置へ出力する前に、所定の色空間及び解像度を備えたテストパターンのデータを複数の異なる出力形式で上記印刷装置側へ出力し、上記テストパターンのデータの各出力形式での出力及び上記印刷装置による印刷に要する時間を計測し、テストパターンの各出力形式での印刷結果を読み取り、読み取られたテストパターンの各出力形式での画像の品質を評価し、計測された時間と評価された画像の品質とに基づき、上記テストパターンのデータの各出力形式を比較して、印刷対象となるデータの印刷に適した出力形式を選択するので、未知の特性・仕様を有する印刷装置に対しても、走査装置から、良好な印刷結果を実現し得る出力形式で、印刷対象とするデータを送信することができる。
【００４０】
また、本願の請求項２に係る発明によれば、テストパターンのデータの出力時に、色空間，解像度，圧縮形式の少なくとも１つに関して、入力されるデータを変更し得るので、複数の異なる出力形式での出力が可能となり、この結果、印刷対象となるデータの印刷に適した出力形式の選択範囲を拡張することができ、一層適確な出力形式を選択することができる。
【００４１】
更に、本願の請求項３に係る発明によれば、色再現性に関して、上記読取手段により読み取られたテストパターンのデータの各出力形式での画像の品質を評価するため、上記印刷装置側で、色再現性について良好な印刷結果を実現することができる。
【００４２】
また、更に、本願の請求項４に係る発明によれば、原稿を光学的に読み取り電子データに変換する走査装置と受信されたデータに基づき印刷を実行する印刷装置とを有する画像形成システムにおいて、印刷対象とするデータを上記印刷装置へ出力する前に、所定の色空間及び解像度を備えたテストパターンのデータを複数の異なる出力形式で出力し、テストパターンのデータの各出力形式での出力及び上記印刷装置よる印刷に要する時間を計測し、テストパターンの各出力形式での印刷結果を読み取り、読み取られたテストパターンの各出力形式での画像の品質を評価し、計測された時間と評価された画像の品質とに基づき、上記テストパターンのデータの各出力形式を比較して、印刷対象となるデータの印刷に適した出力形式を選択するので、未知の特性・仕様を有する印刷装置に対しても、走査装置から良好な印刷結果を実現し得る出力形式で、印刷対象とするデータを送信することができる。
【００４３】
また、更に、本願の請求項５に係る発明によれば、テストパターンのデータの出力時に、色空間，解像度，圧縮形式の少なくとも１つに関して、入力されるデータを変更し得るので、複数の異なる出力形式での出力が可能となり、この結果、印刷対象となるデータの印刷に適した出力形式の選択範囲を拡張することができ、一層適確な出力形式を選択することができる。
【００４４】
また、更に、本願の請求項６に係る発明によれば、色再現性に関して、上記読取手段により読み取られたテストパターンのデータの各出力形式での画像の品質を評価するため、上記印刷装置側で、色再現性について良好な印刷結果を実現することができる。
【００４５】
また、更に、本願の請求項７に係る発明によれば、走査装置において、印刷対象とするデータを印刷装置へ出力する前に、所定の色空間及び解像度を備えたテストパターンのデータを複数の異なる出力形式で出力し、上記テストパターンのデータの各出力形式での出力及び上記印刷装置による印刷に要する時間を計測し、テストパターンのデータの各出力形式での印刷結果を読み取り、読み取られたテストパターンのデータの各出力形式での画像の品質を評価し、計測された時間と評価された画像の品質とに基づき、上記テストパターンのデータの各出力形式を比較して、印刷対象となるデータの印刷に適した出力形式を選択するので、未知の特性・仕様を有する印刷装置に対しても、上記走査装置から、良好な印刷結果を実現し得る出力形式で、印刷対象とするデータを送信することができる。
【００４６】
また、更に、本願の請求項８に係る発明によれば、走査装置において、印刷対象とするデータを印刷装置へ出力する前に、所定の色空間及び解像度を備えたテストパターンのデータを複数の異なる出力形式で出力し、上記テストパターンのデータの各出力形式での出力及び印刷に要する時間を計測し、テストパターンのデータの各出力形式での印刷結果を読み取り、読み取られたテストパターンのデータの各出力形式での画像の品質を評価し、計測された時間と評価された画像の品質とに基づき、上記テストパターンのデータの各出力形式を比較して、印刷対象となるデータの印刷に適した出力形式を選択するので、未知の特性・仕様を有する印刷装置に対しても、上記走査装置から、良好な印刷結果を実現し得る出力形式で、印刷対象とするデータを送信することができる。
【図面の簡単な説明】
【図１】  本発明の実施の形態に係る画像形成システムの構成を示すブロック図である。
【図２】  上記画像形成システムのスキャナに組み込まれた走査画像処理ユニットの構成を示すブロック図である。
【図３】  上記走査画像処理ユニットにおいて用いられる色再現性についてのテストパターンと該テストパターンの各種処理の態様とを示す図である。
【図４】  上記走査画像処理ユニットにおいて用いられる解像度についてのテストパターンと該テストパターンの各種処理の態様とを示す。
【図５】  上記スキャナに設けられた操作パネルを示す図である。
【図６】  上記スキャナの動作モードの変更に応じて、上記操作パネルにおける表示部の表示が切り替わる態様を示す図である。
【図７】  上記スキャナのスキャンモード設定時の処理についてのフローチャートである。
【図８】  上記スキャナのテストモード(図７のＳ１０９)設定時の処理についてのフローチャートである。
【図９】  上記スキャナの各出力パターンの出力処理(図８のＳ２０３〜Ｓ２０８)についてのフローチャートである。
【図１０】  上記スキャナの画像品質評価(図８のＳ２１３)の処理についてのフローチャートである。
【図１１】  解像度変換処理後の出力パターンを評価する態様を示す図である。
【図１２】  上記プリンタに組み込まれたプリント画像処理ユニットの構成を示すブロック図である。
【図１３】  上記プリンタに組み込まれたプリント画像処理ユニットの変形例の構成を示すブロック図である。
【図１４】  速度及び画像品質の優先度を調整する画面を表示するスキャナの操作パネルにおける表示部を示す図である。
【符号の説明】
１０…スキャナ
１３…走査画像処理ユニット
１５…スキャナ側のＣＰＵ
１６…スキャナ側のＲＯＭ
２０…プリンタ
２２…プリンタ側のＣＰＵ
２３…プリンタ側のＲＯＭ
２６…プリント画像処理ユニット
３２…スキャナ側の解像度変換部
３３…スキャナ側の色空間変換部
３４，３６…セレクタ
３５…スキャナ側の二値化処理部
５０…色再現性についてのテストパターン
５０Ａ，５０Ｂ，５０Ｃ…色再現性についての出力パターン
６０…解像力についてのテストパターン
６０Ａ，６０Ｂ，６０Ｃ…解像力についての出力パターン
７０…スキャナ側の操作パネル
７２…表示部
７３…モード変更キー
７４…スキャン開始キー
７５…設定キー
【図１】
0004055324.tif 000002
【図２】
0004055324.tif 000003
【図３】
0004055324.tif 000004
【図４】
0004055324.tif 000005
【図５】
0004055324.tif 000006
【図６】
0004055324.tif 000007
【図７】
0004055324.tif 000008
【図８】
0004055324.tif 000009
【図９】
0004055324.tif 000010
【図１０】
0004055324.tif 000011
【図１１】
0004055324.tif 000012
【図１２】
0004055324.tif 000013
【図１３】
0004055324.tif 000014
【図１４】
0004055324.tif 000015